(57)【特許請求の範囲】
【請求項１】
操作キーを配置する操作パネルの操作パネルカバーにオーバーレイシートを取り付ける操作パネルカバーへのオーバーレイシートの取付構造であって、
前記オーバーレイシートを、前記操作パネルカバーとの剥離性を有する接着面を備えた両面接着テープで前記操作パネルカバーに接着固定し、
前記操作パネルカバーに、前記オーバーレイシートの操作パネルカバー側の面を押圧する部材を挿通可能な挿通部を形成すると共に、前記両面接着テープの前記挿通部に対応する位置にも前記部材を挿通可能な挿通部を形成することで、前記挿通部に挿通した前記部材で前記オーバーレイシートの前記操作パネルカバー側の面を押圧して前記オーバーレイシートを前記操作パネルカバーから剥離できるように構成した
ことを特徴とする操作パネルカバーへのオーバーレイシートの取付構造。
【請求項２】
請求項１に記載の操作パネルカバーへのオーバーレイシートの取付構造において、
前記両面接着テープは、その操作パネルカバー側に接着される接着面よりもオーバーレイシート側に接着される接着面の方が強い接着力を備えていることを特徴とする操作パネルカバーへのオーバーレイシートの取付構造。
【請求項３】
請求項１又は２に記載の操作パネルカバーへのオーバーレイシートの取付構造において、
前記両面接着テープの前記挿通部は、前記オーバーレイシートの端辺の所定位置に対応する位置が切り欠かれた切り欠き形状に形成されていることを特徴とする操作パネルカバーへのオーバーレイシートの取付構造。
【請求項４】
請求項１乃至３のいずれか１項に記載の操作パネルカバーへのオーバーレイシートの取付構造において、
前記操作パネルカバーの前記挿通部は、ＬＥＤランプが挿入配置されるＬＥＤランプ挿入配置部を兼ねていることを特徴とする操作パネルカバーへのオーバーレイシートの取付構造。
【請求項５】
操作キーを配置する操作パネルを備えた画像形成装置において、
前記操作パネルの操作パネルカバーにオーバーレイシートを取り付ける取付構造として、請求項１乃至４のいずれか１項に記載の操作パネルカバーへのオーバーレイシートの取付構造を用いたことを特徴とする画像形成装置。
【発明の詳細な説明】
【技術分野】
【０００１】
本発明は、操作キーを配置した操作パネルの操作パネルカバーにオーバーレイシートを取り付ける操作パネルカバーへのオーバーレイシートの取付構造、及び該取付構造を用いた操作パネルを備えた画像形成装置に関するものである。
【背景技術】
【０００２】
従来、複写機やファクシミリ装置やプリンタなどの画像形成装置には、特許文献１に示すように、各種機能を備えた複数の操作キーを配置した操作パネルが設けられている。この操作パネルでは、該操作パネルに装着された操作パネルカバーの上面側に各操作キーが露出して配列されている。そしてこの操作パネルカバー上面の各操作キーの周囲に、操作キーの操作内容等を表示する文字や記号や図柄が印刷形成されたオーバーレイシートが取り付けられている。
【特許文献１】特開２００１−２３８０１３号公報
【発明の開示】
【発明が解決しようとする課題】
【０００３】
この操作パネルでは、予めオーバーレイシートの下面に接着剤を印刷塗布した接着面を形成しておき、該接着面を操作パネルカバーに接着固定することで、オーバーレイシートを操作パネルカバーに取り付けている。一方で、合成樹脂製の操作パネルカバーをリサイクルするため、使用済みの画像形成装置を解体処分する際に、操作パネルカバーに接着固定されているオーバーレイシートを引き剥がして操作パネルカバーと分離する必要がある。ところが、従来のオーバーレイシートに印刷塗布されている接着剤は、操作パネルカバーに一度接着固定すると剥離できない材質の接着剤であったため、オーバーレイシートを操作パネルカバーから引き剥がすと、接着剤が操作パネルカバー側に付着して残ってしまうという問題があった。このように合成樹脂製の操作パネルカバーに異種材料である接着剤が付着して残ると、操作パネルカバーをリサイクル部品として有効に再利用することができない為、接着剤を取り除く作業が生じてしまう。このことがリサイクル効率を下げる要因の一つであった。
【０００４】
また、従来のオーバーレイシートは、操作パネルカバーに密着固定されていたため、操作パネルカバーから引き剥がす際に剥離開始点を形成することが容易でなく、オーバーレイシートを操作パネルカバーから引き剥がす作業に手間が掛かり、操作パネルの分解作業を効率良く行うことができないという問題があった。
【０００５】
本発明は上述の点に鑑みてなされたものでありその目的は、操作パネルカバーをリサイクル部品として有効に再利用できると共に、操作パネルの分解時にオーバーレイシートを操作パネルカバーから引き剥がす作業を効率良く行える操作パネルカバーへのオーバーレイシートの取付構造、及び該取付構造を用いた操作パネルを備えた画像形成装置を提供することにある。
【課題を解決するための手段】
【０００６】
上記課題を解決するため本願の請求項１に記載の発明は、操作キーを配置する操作パネルの操作パネルカバーにオーバーレイシートを取り付ける操作パネルカバーへのオーバーレイシートの取付構造であって、前記オーバーレイシートを、前記操作パネルカバーとの剥離性を有する接着面を備えた両面接着テープで前記操作パネルカバーに接着固定し、前記操作パネルカバーに、前記オーバーレイシートの操作パネルカバー側の面を押圧する部材を挿通可能な挿通部を形成すると共に、前記両面接着テープの前記挿通部に対応する位置にも前記部材を挿通可能な挿通部を形成することで、前記挿通部に挿通した前記部材で前記オーバーレイシートの前記操作パネルカバー側の面を押圧して前記オーバーレイシートを前記操作パネルカバーから剥離できるように構成したことを特徴とする。
【０００７】
本願の請求項２に記載の発明は、請求項１に記載の操作パネルカバーへのオーバーレイシートの取付構造において、前記両面接着テープは、その操作パネルカバー側に接着される接着面よりもオーバーレイシート側に接着される接着面の方が強い接着力を備えていることを特徴とする。
【０００９】
本願の請求項３に記載の発明は、請求項１又は２に記載の操作パネルカバーへのオーバーレイシートの取付構造において、前記両面接着テープの挿通部は、前記オーバーレイシートの端辺の所定位置に対応する位置が切り欠かれた切り欠き形状に形成されていることを特徴とする。
【００１０】
本願の請求項４に記載の発明は、請求項１乃至３のいずれか１項に記載の操作パネルカバーへのオーバーレイシートの取付構造において、前記操作パネルカバーの挿通部は、ＬＥＤランプが挿入配置されるＬＥＤランプ挿入配置部を兼ねていることを特徴とする。
【００１１】
本願の請求項５に記載の発明は、操作キーを配置する操作パネルを備えた画像形成装置において、前記操作パネルの操作パネルカバーにオーバーレイシートを取り付ける取付構造として、請求項１乃至４のいずれか１項に記載の操作パネルカバーへのオーバーレイシートの取付構造を用いたことを特徴とする。
【発明の効果】
【００１２】
本願の請求項１に記載の発明によれば、オーバーレイシートを、操作パネルカバーとの剥離性を有する接着面を備えた両面接着テープで操作パネルカバーに接着固定するので、オーバーレイシートを操作パネルカバーから引き剥がす際に、両面接着テープやその接着面に塗布されている接着剤が操作パネルカバー側に付着して残らずに済む。したがって、操作パネルカバーをリサイクル部品として有効に再利用することができる。なおここでいう接着面の剥離性とは、操作パネルカバーに当該接着面を一度接着固定した後、剥離剤などの薬剤を使用せずに物理的に引き剥がしても、操作パネルカバー側に接着剤が残らずに分離できる性質を有することをいう。
また、本願の請求項１に記載の発明によれば、操作パネルカバーの下面側から操作パネルカバーの挿通部と両面接着テープの挿通部とに部材を挿通させて、該部材の先端でオーバーレイシートの操作パネルカバー側の面を押圧することで、オーバーレイシートを操作パネルカバーから剥離できるので、オーバーレイシートの剥離開始点を容易に形成でき、オーバーレイシートの引き剥がし作業を効率良く行うことができる。特に、両面接着テープにも挿通部を形成していることで、部材の先端でオーバーレイシートの操作パネルカバー側の面を直接押圧できて、部材の先端が接着面に接着されずに済むので、オーバーレイシートを容易に剥離させることが可能となる。
【００１３】
本願の請求項２に記載の発明によれば、両面接着テープは、その操作パネルカバー側に接着される接着面よりもオーバーレイシート側に接着される接着面の方が強い接着力を備えているので、オーバーレイシートを操作パネルカバーから引き剥がす際に、両面接着テープがオーバーレイシート側に接着された状態で操作パネルカバーと分離し易くなるので、両面接着テープが操作パネルカバー側に残りにくくなる。
【００１５】
本願の請求項３に記載の発明によれば、両面接着テープの挿通部は、オーバーレイシートの端辺に対応する位置が切り欠かれた切り欠き形状に形成されているので、この挿通部に対応する部分のオーバーレイシートの端辺が操作パネルカバーに接着されておらず、オーバーレイシートを簡単に浮かせることができ、剥離開始点を容易に形成できる。
【００１６】
本願の請求項４に記載の発明によれば、操作パネルカバーの挿通部は、ＬＥＤランプが挿入配置されるＬＥＤランプ挿入配置部を兼ねているので、操作パネルが組み立てられている際には、挿通部をＬＥＤランプ挿入配置部として用いることができ、使用済みの操作パネルを分解する際には、挿通部に部材を挿通させてオーバーレイシートの剥離開始点を形成するために用いることができる。
【００１７】
本願の請求項５に記載の発明によれば、画像形成装置の操作パネルに上記の操作パネルカバーへのオーバーレイシートの取付構造を用いたので、使用済みの画像形成装置の製品リサイクルを促進させることができる。
【発明を実施するための最良の形態】
【００１８】
以下、本発明の実施形態を図面に基づいて詳細に説明する。まず、本発明にかかる操作パネルを備えた画像形成装置の概略構成について説明する。図１は、画像形成装置１００を示す斜視図である。本発明にかかる画像形成装置としては、操作キーを配置する操作パネルを備えた画像形成装置であれば、コピー機やファクシミリ装置やプリンタ或いはこれらの機能を兼ね備えたいわゆる複合機のうちのいずれであっても良い。同図に示す画像形成装置１００は、下段側に配置した記録部１０１と上段側に配置した読取部１０２とを備えて構成されている。記録部１０１には、記録装置１０３と給紙カセット１０４及び記録紙排出トレイ１０５が内装され、給紙カセット１０４内に収容されている用紙を記録装置１０３へ給紙し、該記録装置１０３で用紙への記録を行った後、用紙を記録紙排出トレイ１０５へ排出するように構成されている。
【００１９】
一方、読取部１０２は、読取ケース１０６内に読取装置（図示せず）を収納しており、読取ケース１０６の上面側に設置したプラテンガラス（図示せず）上に載置された原稿を読取装置で走査して読み取るようになっている。また、読取ケース１０６の上部には、その一辺を中心に開閉可能に取り付けられた原稿押えカバー１０７が配置され、該原稿押えカバー１０７でプラテンガラス上に載置された原稿を上方から押えるように構成している。さらに原稿押えカバー１０７の一端部には、原稿を自動的に給紙する自動給紙装置（ＡＤＦ装置）１０８が付設されている。この自動給紙装置１０８は、原稿供給トレイ１０９に載置された原稿を一枚ずつピックアップして、搬送装置（図示せず）で読取ケース１０６上面の一端部に設けられたＡＤＦ読取部（図示せず）へ搬送し、静止状態の読取装置で原稿を読み取った後、原稿押えカバー１０７の上面に設けた原稿排出トレイ１１０へ排出するように構成している。このように読取部１０２は、読取装置を走査させて静止原稿を読み取るフラットベッドタイプのスキャナとしても、読取装置の位置を固定して原稿を給送しながら読み取りを行うシートフィードタイプのスキャナとしても用いることができるように構成されている。
【００２０】
そして、読取ケース１０６の一方の側部（画像形成装置１００の前面側の側部）に操作パネル１が設置されている。図２は、操作パネル１の外観構成を示す斜視図である。この操作パネル１は、該操作パネル１に装着された操作パネルカバー１０の上面１０ａ側に各種操作キー２が露出して配列されている。また、画像形成装置１００の動作状態や設定状態などの各種情報を表示する表示部３や、警告ランプなどが点灯するランプ点灯部４が設けられている。そして操作パネルカバー１０の上面１０ａには、文字や記号や図柄が印刷形成されたオーバーレイシート２０が取り付けられている。上記の各種操作キー２には、原稿内容のファクシミリ送信やコピーを開始するためのスタートキー２ａや、ファクシミリ送信先へダイヤルしたりコピー枚数を設定したりするためのテンキー２ｂや、画像形成装置１００の各種設定や先に入力した操作内容をリセットするためのリセットキー２ｃや、表示部３の表示濃度を調節するための表示調節キー２ｄなどがある。
【００２１】
また操作パネル１には、ワンタッチキー配列部５が設けられている。このワンタッチキー配列部５には開閉カバー５ａが取り付けられ、図示は省略するが開閉カバー５ａの下側に複数のワンタッチキーが配列されている。ワンタッチキーは、ファクシミリ送信の相手先を予め登録しておき、ワンタッチ操作で当該相手先へのファクシミリ送信を行える機能などを備えた操作キーである。これら操作パネル１上の各種操作キー２やワンタッチキーを操作することで、読取装置で原稿内容の読み取りを行ったり、原稿をコピーする際のコピー枚数や用紙サイズを指定したり、読み取った原稿をファクシミリ送信する際の送信先の設定を行ったり、受信内容を記録装置１０３で記録するなど、画像形成装置１００における各種操作を行なうことができる。
【００２２】
次に、操作パネル１の詳細構造について説明する。図３は、操作パネル１の構成部品を示す分解斜視図である。同図に示すように操作パネル１は、操作パネルカバー１０と、操作パネルカバー１０に両面接着テープ３０で接着固定されるオーバーレイシート２０と、操作パネルカバー１０の下面側に取り付けられるキートップ４０、液晶表示器５０、回路基盤６０、下カバー７０を備えて構成されている。以下、各構成部品について説明する。なお、以下ではワンタッチキー配列部５の説明は省略する。
【００２３】
操作パネルカバー１０は、ＡＢＳ樹脂などの合成樹脂製の成形品で、操作パネル１の上側全体を覆う略長方形の平板状に形成されている。そして操作パネル１における各種操作キー２の位置に、下記するキートップ４０の操作キー部４５を挿通する貫通穴からなる操作キー挿通部１２が形成されている。また表示部３に対応する位置には、下記する液晶表示器５０の表示面５０ａを露出させる開口部１３が形成されている。またランプ点灯部４に対応する位置には、操作パネルカバー１０の上下面１０ａ，１０ｂに貫通する貫通穴からなる挿通部１４が形成されている。この挿通部１４は、ドライバーなどの棒状の部材を挿通させることができる形状で、且つ下記する回路基盤６０上のＬＥＤランプ６２をその内部に挿入配置することができる形状になっている。そしてこの操作パネルカバー１０の上面１０ａには、略長方形の凹部内に形成された平面状のオーバーレイシート取付面１１が形成されている。
【００２４】
オーバーレイシート２０は、ポリカーボネイトなどの合成樹脂製の透明又は半透明の平板状部材で、その外形が操作パネルカバー１０のオーバーレイシート取付面１１の外形と一致する長方形状に形成されている。そして操作パネルカバー１０の操作キー挿通部１２や開口部１３に対応する位置に、それぞれ切り抜きからなる操作キー挿通部２２や開口部２３が形成されている。そして図示は省略するが、このオーバーレイシート２０の下面２０ｂの所定位置には、文字や記号や図柄が印刷形成されている。一方で、このオーバーレイシート２０の下面２０ｂのうち、操作パネル１のランプ点灯部４に対応する位置には図柄などが印刷形成されておらず、この部分は透明又は半透明で下記するＬＥＤランプ６２の光を透過させる透光部２４になっている。
【００２５】
両面接着テープ３０は、その上面と下面にそれぞれ接着剤が塗布された接着面３０ａ，３０ｂが形成されているシート状の接着テープで、オーバーレイシート２０と略同一形状の外形を備え、オーバーレイシート２０の操作キー挿通部２２や開口部２３に対応する位置に、切り抜きからなる操作キー挿通部３２や開口部３３が形成されている。これら操作キー挿通部３２や開口部３３は、オーバーレイシート２０の操作キー挿通部２２や開口部２３に対応する位置が切り抜かれてさえいれば良く、それらと同一形状である必要はない。一方で、操作パネルカバー１０の挿通部１４及びオーバーレイシート２０の透光部２４に対応する位置には、切り欠き状の挿通部３４が形成されている。この挿通部３４は、オーバーレイシート２０を操作パネルカバー１０に接着した際に、オーバーレイシート２０の端辺に対応して位置するように設計されている。このように設計することにより、オーバーレイシート２０の一部の端辺（挿通部３４を設けている端辺）の所定位置が、操作パネルカバー１０に接着されていない状態になる。
【００２６】
両面接着テープ３０の接着面３０ａ，３０ｂのうち、少なくとも操作パネルカバー１０側に接着固定される接着面３０ｂに塗布されている接着剤は、合成樹脂製の操作パネルカバー１０に対する剥離性を有している。ここでいう剥離性とは、操作パネルカバー１０に接着面３０ｂを一度接着固定した後、剥離剤などの薬剤を使用せずにこれを物理的に引き剥がしても、接着面３０ｂに塗布されている接着剤が操作パネルカバー１０側に残らずに分離することが可能な性質を有することをいう。この両面接着テープ３０は、市販のシート状の両面接着テープであってこの剥離性を有するものを上記の形状にカットして使用すれば良い。またこの両面接着テープ３０には、一方の接着面３０ａと他方の接着面３０ｂとが異なる接着力を有する両面接着テープを用いることもできる。その場合は、下記で説明するように接着力の弱い方を操作パネルカバー１０側に接着固定する接着面３０ｂとし、接着力の強い方をオーバーレイシート２０側に接着固定する接着面３０ａとする。
【００２７】
各キートップ４０は、合成樹脂製又はゴム製で、いずれも平板状の基部４１の上面に、一又は複数の突起状の操作キー部４５を設置した形状に形成されている。なお図示は省略するが、必要に応じて各操作キー部４５の上面に数字や文字や記号を印刷形成してもよい。液晶表示器５０は表示面５０ａを備えた表示装置であり、取付具５１を介して回路基盤６０上に固定されるようになっている。回路基盤６０は、配線回路が形成されている硬質基盤で、上面の各種操作キー２に対応する位置にスイッチ６１が実装され、操作パネルカバー１０の挿通部１４に対応する位置にＬＥＤランプ６２が実装されている。下カバー７０は、操作パネルカバー１０の下面１０ｂと一致する外形を有する平板状の合成樹脂製の成形品である。なおこの下カバー７０は、上記の読取ケース１０６の側部に一体に形成したものであってもよい。
【００２８】
次に、操作パネル１の組立手順を説明する。まず、両面接着テープ３０の一方の接着面３０ａに貼付されている図示しない剥離シートをはがして接着面３０ａを露出し、この接着面３０ａをオーバーレイシート２０の下面２０ｂに接着固定する。この際、オーバーレイシート２０と両面接着テープ３０の外周を一致させると共に、操作キー挿通部２２と操作キー挿通部３２、及び開口部２３と開口部３３の位置をそれぞれ一致させて固定する。次に、オーバーレイシート２０に接着固定した両面接着テープ３０の他方の接着面３０ｂに貼付されている図示しない剥離シートをはがして接着面３０ｂを露出し、この接着面３０ｂを操作パネルカバー１０のオーバーレイシート取付面１１に接着固定する。この際も、オーバーレイシート取付面１１とオーバーレイシート２０の外周を一致させると共に、操作キー挿通部１２と操作キー挿通部２２（３２）、及び開口部１３と開口部２３（３３）の位置を一致させて固定する。これによりオーバーレイシート２０が操作パネルカバー１０のオーバーレイシート取付面１１に接着固定される。またこのとき、操作パネルカバー１０の挿通部１４と両面接着テープ３０の挿通部３４及びオーバーレイシート２０の透光部２４の位置が一致した状態になる。
【００２９】
次に、操作パネルカバー１０の下面１０ｂ側から操作キー挿通部１２に操作キー部４５を挿通して各キートップ４０を取り付ける。一方で、回路基盤６０上に取付具５１を介して液晶表示器５０を取り付け、操作パネルカバー１０の下面１０ｂ側にこの回路基盤６０を配置し、該回路基盤６０を図示しないネジなどの締結手段で操作パネルカバー１０に固定する。この際、液晶表示器５０の表示面５０ａが操作パネルカバー１０の開口部１３内に配置され、各キートップ４０の操作キー部４５の下側に各スイッチ６１が配置される。また、操作パネルカバー１０の挿通部１４内に回路基盤６０上に実装されたＬＥＤランプ６２が挿入配置される。そして、回路基盤６０の下面側に下カバー７０を配置してこれを操作パネルカバー１０と一体に固定すれば、操作パネル１の組み立てが完了する。
【００３０】
次に、使用済みの画像形成装置１００を解体処分する際に、操作パネル１を分解する手順について説明する。操作パネル１を分解するには、まず操作パネルカバー１０から下カバー７０を取り外すと共に、回路基盤６０を取り外す。これにより操作パネルカバー１０の挿通部１４内に挿入配置されているＬＥＤランプ６２が、回路基盤６０と一体に取り外される。次に、操作パネルカバー１０からキートップ４０を取り外す。この状態で、オーバーレイシート２０が接着固定されている操作パネルカバー１０とその他の部品とが分離される。
【００３１】
ここで、操作パネルカバー１０の下面１０ｂ側から挿通部１４内にドライバー等の棒状の部材を挿入し、この棒状の部材の先端で操作パネルカバー１０に接着固定されているオーバーレイシート２０の下面２０ｂ（操作パネルカバー１０側の面）を押圧して、オーバーレイシート２０の一部を剥離することで、その剥離開始点を形成する。剥離開始点を形成したらその部分を手などで引っ張ることで、オーバーレイシート２０の全面を操作パネルカバー１０から容易に引き剥がすことができる。
【００３２】
この操作パネル１が備えるオーバーレイシート２０は、上記で説明した剥離性を有する両面接着テープ３０で操作パネルカバー１０に接着固定されているので、オーバーレイシート２０を引き剥がした後の操作パネルカバー１０に、両面接着テープ３０やその接着面３０ｂに塗布されている接着剤が付着して残らない。また、たとえ両面接着テープ３０や接着剤が操作パネルカバー１０に付着して残っても、これを手などで容易に取り除くことが可能である。したがって、操作パネルカバー１０に異種材料が付着して残ることを防げるので、操作パネルカバー１０をリサイクル部品として有効に再利用することができる。
【００３３】
また、この操作パネル１では、操作パネルカバー１０に棒状の部材を挿通可能な挿通部１４を形成すると共に、挿通部１４に対応する位置の両面接着テープ３０にもこの棒状の部材を挿通可能な切り欠き状の挿通部３４を形成しているので、棒状の部材でオーバーレイシート取付面１１に密着固定されているオーバーレイシート２０の下面２０ｂを押圧できる。さらに、両面接着テープ３０の切り欠き状の挿通部３４がオーバーレイシート２０の端辺に対応して形成されていることで、この挿通部３４に対応する位置のオーバーレイシート２０の端辺が操作パネルカバー１０に接着されていないので、オーバーレイシート２０を簡単に浮かせることができる。これらによって、オーバーレイシート２０の剥離開始点を容易に形成することが可能となる。また、両面接着テープ３０にも挿通部３４を形成していることで、棒状の部材の先端でオーバーレイシート２０の下面２０ｂを直接押圧できて、棒状の部材の先端が接着面３０ｂに接着されずに済むので、オーバーレイシート２０の剥離開始点の形成がより容易に行えて、オーバーレイシート２０の引き剥がし作業を効率良く行うことができる。
【００３４】
また、両面接着テープ３０として、接着面３０ａの接着力と接着面３０ｂの接着力が異なるものを用いる場合は、接着力の弱い方を接着面３０ｂとして操作パネルカバー１０側に接着し、接着力の強い方を接着面３０ａとしてオーバーレイシート２０側に接着固定する。これにより、操作パネルカバー１０からオーバーレイシート２０を引き剥がす際に、両面接着テープ３０がオーバーレイシート２０側に接着された状態で操作パネルカバー１０と分離し易くなるので、両面接着テープ３０が操作パネルカバー１０に残りにくくなる。
【００３５】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、操作パネルカバー１０やオーバーレイシート２０及びこれらを接着固定している両面接着テープ３０の具体的な形状や材質は、上記実施形態に示すものには限定されない。特に両面接着テープ３０は、上記で示す一枚のシート状のものには限定されず、それ以外にもオーバーレイシート取付面１１に接着可能なものであれば、複数枚に分割されている帯状のテープなどでも良い。
【図面の簡単な説明】
【００３６】
【図１】本発明の一実施形態にかかる操作パネル１を備えた画像形成装置１００の概略全体構成を示す斜視図である。
【図２】操作パネル１の外観構成を示す斜視図である。
【図３】操作パネル１の構成部品を示す分解斜視図である。
【符号の説明】
【００３７】
１      操作パネル
２      各種操作キー
２ａ    スタートキー
２ｂ    テンキー
２ｃ    リセットキー
２ｄ    表示調節キー
３      表示部
４      ランプ点灯部
５      ワンタッチキー配列部
１０    操作パネルカバー
１１    オーバーレイシート取付面
１２    操作キー挿通部
１３    開口部
１４    挿通部
２０    オーバーレイシート
２２    操作キー挿通部
２３    開口部
２４    透光部
３０    両面接着テープ
３０ａ  接着面
３０ｂ  接着面
３２    操作キー挿通部
３３    開口部
３４    挿通部
４０    キートップ
５０    液晶表示器
６０    回路基盤
６１    スイッチ
６２    ＬＥＤランプ
７０    下カバー
１００  画像形成装置
【図１】
0004622929.tif 000002
【図２】
0004622929.tif 000003
【図３】
0004622929.tif 000004